(57)【特許請求の範囲】
【請求項１】
水槽（３）が、大地震、災害などによって回転動や散体しても支持枠（２）内に載置状態である、複数の水槽体（７）の各個体の一端側面部の上部辺に逆止弁（４）を介して注入管（５）を固着するとともに、他端側面部の下部辺に断水すると止まる弁（４ａ）を介して排水管（６）を固着し、各１水槽体（７）の注入管（５）の開口部に各ホース（８）の一端を嵌着し、前記１水槽体（７）と所定の距離をおいて対向する他の水槽体（７）の排水管（６）の開口部に前記各ホース（８）の他端を固着し、各隣接する水槽体（７）間の各ホース（８）の上部に断面逆Ｕ字状の各安全板（１１）をもって被覆して、一連の水槽体（７）を堤体状に設けてなる防災、避難場所における給水装置であって、
前記安全板（１１）を、鋼鈑を断面Ｕ状に折曲して、その横巾寸法を、各水槽体（７）の所定位置の間隔寸法に合致させて形成し、この安全板（１１）を装着する際は、その一端部を既設の水槽体（７）側に配した各支持片（１２）に差し込み、その他端部を次に設置する水槽体（７）に配した各支持片（１２）に差し込みながら該水槽体（７）を該既設の水槽体（７）側に接近させ、該既設の水槽体（７）及び該次に設置する水槽体（７）側面部に該安全板（１１）の両端部を各々密着させて、該安全板（１１）を両水槽体（７）で挟持し、次々と水槽体（７）を設置して、一連の水槽体（７）を堤体状に設置するものである、防災、避難場所における給水装置。
【発明の詳細な説明】
【技術分野】
【０００１】
本発明は、大地震災害において、避難場所に避難した避難民の全員に、即、新鮮な飲料水を供給し得る様にした、防災、避難場所における給水装置である。
しかして、本発明は上記防災、避難場所における給水装置の各水槽体を避難場所に、予めその避難する人数及び使用日数等を勘案して、その全数量を避難場所の周囲か空間地を利用して所定の態様で水槽体を設置して構成する防災、避難場所における給水装置である。
【背景技術】
【０００２】
従来の場合は、その地に相当と思われる水量の貯水槽を、種々建造物の内外に設置して備蓄する等、又ペットボトル等を用意するなどして、ともに数日又は月毎に入れ替え、若しくは交換する等、大変な手数及び金銭を要するものであるのが一般的であった。
【発明の開示】
【発明が解決しようとする課題】
【０００３】
そこで本発明は、大地震によって避難した人数の避難民全員に、即、飲料水を供給し得る様にしたものであって、地震によって道路が分断されて、配水車が到着できない場合にも、又配水車が到着しても水槽に限りがあったり、更に配水するにも手数を要する等があるので、これらに代わって、新鮮な飲料水を満たんにした多数の各水槽より、速やかにかつ充分に飲料水を供給できるようにすることを目的とする。
【課題を解決するための手段】
【０００４】
本発明は、水槽（３）が、大地震、災害などによって回転動や散体しても支持枠（２）内に載置状態である、複数の水槽体（７）の各個体の一端側面部の上部辺に逆止弁（４）を介して注入管（５）を固着するとともに、他端側面部の下部辺に断水すると止まる弁（４ａ）を介して排水管（６）を固着し、各１水槽体（７）の注入管（５）の開口部に各ホース（８）の一端を嵌着し、前記１水槽体（７）と所定の距離をおいて対向する他の水槽体（７）の排水管（６）の開口部に前記各ホース（８）の他端を固着し、各隣接する水槽体（７）間の各ホース（８）の上部に断面逆Ｕ字状の各安全板（１１）をもって被覆して、一連の水槽体（７）を堤体状に設けてなる防災、避難場所における給水装置であって、
前記安全板（１１）を、鋼鈑を断面Ｕ状に折曲して、その横巾寸法を、各水槽体（７）の所定位置の間隔寸法に合致させて形成し、この安全板（１１）を装着する際は、その一端部を既設の水槽体７側に配した各支持片（１２）に差し込み、その他端部を次に設置する水槽体（７）に配した各支持片（１２）に差し込みながら該水槽体（７）を該既設の水槽体（７）側に接近させ、該既設の水槽体（７）及び該次に設置する水槽体（７）側面部に該安全板（１１）の両端部を各々密着させて、該安全板（１１）を両水槽体（７）で挟持し、次々と水槽体（７）を設置して、一連の水槽体（７）を堤体状に設置するものである、防災、避難場所における給水装置である。
【発明の効果】
【０００５】
而して本発明は、上記の手段を講じたので、この飲料水を飲用するときは、大地震や水害などで、連結されてある各水槽体が、激震によって、各接続する安全板及びホース等が外れるとともに、各水槽体が、各々個体の水槽体となって、逆止弁及び水を止める弁等が働いて、満水の状態で各所それぞれ回転動、散体などしてあるので、起上げて、蓋を空けるか、各下部の弁に水道栓を差込んで、各自自由に直ちに飲用するものである。
【実施例】
【０００６】
以下図面に示す実施例について詳細に説明する。
【０００７】
枠体１は４本の枠柱で、角枠状に設けて、該枠体１の内部上下部に山形鋼材の支持材で各々断面Ｌ字状に横着して設けた支持枠２、２ａで角枠状にするとともに、支持枠２ａの上部に、水槽３を載置し固着して、水槽３の上側面辺の側面部の一部に、逆止弁４を介して注入管５を固着するとともに、この水槽３の他側面部の下部辺に断水すると止まる弁４ａを介して排水管６を固着して水槽体７を設けて、一水槽体７の注入管５とこれと対向する水槽体７の他水槽３の排水管６の各開口部とに、ホース８の各端部を接続する。該ホース８の一端（上端）は、該注入管５に、引っ張れば容易に抜けるが漏水はしないように嵌着するとともに、他端（下端）は該排水管６に固着する。このホース８は、その上部辺を、注入口５の開口部より上位の位置に臨ませて、枠柱体１の上位部の両枠部に取り付けた支持枠２ａに固着した支持具９を介して各排水管６側の上部に臨ませて遊着して、各水槽体７をこのホース８で連結して一連の堤体状のものにして設置するものである。
【０００８】
この水槽体７は、全くの公用、団体用として避難場や公的、指摘の建造物などの内外地などに設置するもので大地震の際に、予め例えば回転動や散体することを前提においたもので、上記のホース８は設置する各水槽体７間に嵌合して、各水槽体７流水して常時各満水の状態にするとともに、該水槽体７が移動、散体すると、各ホースが外れて、各個体の水槽体となる様にして各ホース８を設けたものである。又各水槽体７は、各避難場所に避難する避難民の人数及確保する日数を勘案して、これに見合う水槽体７を用意して、上記の如く一定間隔に連設して安全板１１を介して、一連の水槽体７を堤体状に設けて構成する。
【０００９】
なお、水槽体７は、枠柱体１を用いず、図３に示す如く、その代わりに、水槽３の底部に台座１０を設けて、一体の水槽体７ａとして例えば水害対策用として用いてもよい。
【００１０】
而して、上記の各ホース８で連結してある注入管５及排水管６を保護するために、各両水槽体７間の注入管５及排水管６の上面部より断面逆Ｕ字状の安全板１１で被覆して該各注入管５、排水管６及ホース８などを保全する。
【００１１】
安全板１１は、両側面板部を図示してないが、該安全板１１は、各側面部に断面逆Ｕ字状板であるので、対向する各水槽体７間の逆止弁４及び弁４ａに被覆して、各水槽３の下部の各支持片１２に臨む部分に、逆Ｕ字状片を各設けるとともに、図面右側の水槽上側面部の支持片１２の下部に臨む部に、小平板を設けてあるので、この安全板１１を各対向する水槽体７間の各逆止弁４、断水すると止まる弁４ａ及ホース８上に係合して被覆すると、逆Ｕ字片が下部の支持片１２を逆Ｕ字片内に係合して囲むとともに、小平板が上部の支持片１２の下部に位するので、被覆する際、各水槽を少し開いて被覆して各水槽体７を定置に当接すれば、安全板１１は、上部の支持片１２が小平板の上方の動きを抑えるとともに下部の支持片１２が逆Ｕ字状の内部内で係合するので、即ち、上、左右ともに閉口されて、該各逆止弁５及排水弁６は完全に保護される。
【００１２】
本発明はこの様にして、地震、水害等の大災害に備えておくのであって、各地区の避難場所、その他近辺の避難する住民の人数及日数に充分に与え得る水量の水槽体７を、避難場所の周囲や空閑地を利用して、該水槽体７を、その用地に引設した水道本管に繋設した水道管の最初の部分辺に設置しておいて、該水道を日常使用している限り、各水槽体７は、各ホース８によって常時満水の状態を保持しておって、一度大地震が発生すれば、激震によって各ホース８が容易に外れて、各水槽体７は、例えば回転倒して散体しても、各満水の状態で、散体してあっても各々立て起こして、即、速かに、多くの避難民に直ちに飲用する事ができる、又例え道路が分断され配水車の到着が出来ずとも数日間安心して飲用する事が出来る。
【００１３】
この際、注入管５と排水管６を連結するホース８は、前者に対して、各支持体が移動すればその振動で抜け外れる様に設けて固着せずに嵌合してある。又例えば万一外れぬ事を考慮して、例えば、前記ホース８は、その上部を水槽３の横巾の巾長にするとともに、排水管６の取付部を基点とした三角形状に配して遊着しておけば、水槽３が直立より前後に横転しても注入管５の水は漏れることがない。従ってホース８の取付けはこの三角形状にして連結することが望ましい。
【００１４】
なお本発明は、各注入管５、排水管６及びホース８等は、常時安全板１１に覆われて確実に安全に保護されてあって、例えば水槽３に悪戯をしようとして安全板１１を外そうとしても、両水槽体７の各支持片１２によって支持されてあるのでこの水槽体７を大きく移動しなければ外すことが出来ないので、一連の水槽体７の両端水槽体７を基礎に固着して各水槽体７を定位置に設置してある限り全く安全である。従って悪戯があれば水槽体７に異常があるので容易にこれを見抜き発見することが出来る。
【００１５】
更に本発明は、上部の角枠状の支持枠２ａ内に、例えば箱１４を載置して草花などの植物を置いておけば美観的にも環境的にも有益なことである。
【００１６】
以上に述べた様に本発明は、避難場所の周囲や空間地を努めて利用して、各避難場所に収容出来得る住民の人数及日数に見合う数量の相当数の水槽体７を設置しておけば、どの様な災害に遭おうとも、水槽体７は倒れても水は漏れることなく満水が保たれるので、災害時には即時に充分に新鮮な飲用水を供給し得る特徴を有するものである。
【図面の簡単な説明】
【００１７】
【図１】本発明の一実施例を示す一部を欠除した正面図である。
【図２】本発明の要部を示す一部を欠除した平面図である。
【図３】本発明の第２例の水槽を示す正面図である。
【符号の説明】
【００１８】
１・・・枠柱体
２、２ａ・・・支持枠
３・・・水槽
４・・・逆止弁
４ａ・・断水で止まったとき閉口する弁
５・・・注入管
６・・・排水管
７・・・水槽体
８・・・ホース
１１・・安全板
１２・・支持片
【図１】
0004546942.tif 000002
【図２】
0004546942.tif 000003
【図３】
0004546942.tif 000004